(57)【要約】【課題】通信用の電波を遮蔽する最適な通信用電波遮蔽窓の提供。【解決手段】通信用電波遮蔽窓１は、導電性素材５を封入した窓ガラス６と、窓ガラス６の周囲に設けた導電性材料を用いた窓枠７とからなる。窓ガラス６の周縁が導電性素材８を混入した密封体９を介して窓枠７に封着される。窓ガラス６を窓枠７と共に建造物２の電波遮蔽部屋２０の室内２１の空間を囲む壁２２に設けた開口する窓孔２３に対して取付ける。窓ガラス６の導電性素材５，導電性材料を用いた窓枠７及び密封体９の導電性素材８が通信用の電波を遮蔽する。【選択図】　　　　図１
2004011369.tif 000002
【特許請求の範囲】
【請求項１】
建造物の電波遮蔽部屋の室内の空間を囲む壁に設けた開口する窓孔に配置され、通信用の電波を遮蔽する通信用電波遮蔽窓であって、
通信用の電波を遮蔽する導電性素材を母材の全域に均一に封入した透光性を有する窓ガラスと、窓ガラスの周囲に設けた通信用の電波を遮蔽する導電性材料を用いた窓枠とからなり、窓ガラスの周縁を通信用の電波を遮蔽する導電性素材を混入した密封体を介して窓枠に封着したことを特徴とする通信用電波遮蔽窓。
【請求項２】
窓ガラスは、導電性素材に接続されたアース用端子を有している請求項１に記載の通信用電波遮蔽窓。
【請求項３】
導電性材料を用いた窓枠に、アース用端子が付設されている請求項１に記載の通信用電波遮蔽窓。
【請求項４】
窓ガラスのアース用端子は、アース導線を介して大地にアース接地されている請求項１または２に記載の通信用電波遮蔽窓。
【請求項５】
窓枠に付設したアース用端子は、アース導線を介して大地にアース接地されている請求項１または３に記載の通信用電波遮蔽窓。
【請求項６】
密封体は、導電性ガスケット或いは導電性シーラントである請求項１に記載の通信用電波遮蔽窓。
【請求項７】
窓ガラスに封入した導電性素材と窓枠とは、密封体に混入した導電性素材を介して電気的に接続され、窓ガラスの導電性素材と窓枠との導通が密封体の導電性素材により一様に保たれている請求項１に記載の通信用電波遮蔽窓。
【発明の詳細な説明】
【０００１】
【発明の属する技術分野】
本発明は、建造物の電波遮蔽部屋の室内の空間を囲む壁に設けた開口する窓孔に配置される窓に関し、特に、建造物の電波遮蔽部屋における通信用の電波を遮蔽（シールド）するに最適な通信用電波遮蔽窓に関するものである。
【０００２】
【従来の技術】
近年の日本国内においては、無線で携帯しながら通信するための携帯電話，ＰＨＳ（Ｐｅｒｓｏｎａｌ　Ｈａｎｄｙｐｈｏｎｅ　Ｓｙｓｔｅｍ）等の携帯電話機が社会に広く普及してきており、低年令から高年令までの広範囲の年令層の人が手軽に使える携帯電話機を所持している。
【０００３】
従来、電磁ノイズ等の電磁波は、例えば、補聴器、心臓のペースメーカー、その他の各種医療用電気機器、自動ドア、火災報知器、高精度な制御や微弱な信号を取り扱う各種電子機器等に誤動作を起こすおそれがあることが社会的な問題となっている。
【０００４】
そして、特に、大勢の人々が利用して混雑する電車，新幹線，飛行機等の乗物、病院等の医療施設、映画館，劇場，コンサートホール，美術館等の公共施設、或いは料亭，会席茶屋，レストラン等の高級料理店においては、携帯電話機の着信音が鳴ったり、或いは携帯電話機を使用して通話を行ったりすると、携帯電話機の周辺にいる乗客，患者，観客，顧客等の多数の人に不快感を与えてトラブルの原因となり、しかも、携帯電話機から発生する電磁波が各種医療用電気機器や各種電子機器に悪影響を及ぼすおそれがあるので、携帯電話機の周辺にいる多数の人に迷惑がかからないように、不測の事態以外での携帯電話機の使用が規制若しくは禁止されている。
【０００５】
さらに、携帯電話機の着信音が鳴らないようにするために、携帯電話機所持者が、あらかじめ携帯電話機の電源を切ったり、或いは携帯電話機をバイブレータ着信とするマナーモードに設定したりする必要があった。
【０００６】
【発明が解決しようとする課題】
ところが、現状では、携帯電話機の使用が規制若しくは禁止されている場所であるにも係わらず、携帯電話機の電源を切らなかったり、或いは携帯電話機をマナーモードに設定しない携帯電話機所持者も多く、携帯電話機所持者のマナーの悪さも問題になっている。
【０００７】
本発明の目的は、上述する問題点に対処して、携帯電話機の使用が規制若しくは禁止されている建造物の電波遮蔽部屋の室内において、窓ガラスに導電性素材を封入した窓ガラスを配設して入射した通信用の電波を遮蔽すると共に、導電性材料を用いた窓枠が通信用の電波を遮蔽し、窓から建造物の電波遮蔽部屋の室内に侵入する通信用の電波を遮蔽可能な通信用電波遮蔽窓を提供することにある。
【０００８】
【課題を解決するための手段】
本発明の通信用電波遮蔽窓は、建造物の電波遮蔽部屋の室内の空間を囲む壁に設けた開口する窓孔に配置される、通信用の電波を遮蔽する導電性素材を母材の全域に均一に封入した透光性を有する窓ガラスと、窓ガラスの周囲に設けた通信用の電波を遮蔽する導電性材料を用いた窓枠とからなり、窓ガラスの周縁を通信用の電波を遮蔽する導電性素材を混入した密封体を介して窓枠に封着したことを特徴とする構成を有するものである。
【０００９】
本発明の通信用電波遮蔽窓は、窓ガラスが、導電性素材に接続されたアース用端子を有している。
【００１０】
本発明の通信用電波遮蔽窓は、導電性材料を用いた窓枠に、アース用端子が付設されている。
【００１１】
本発明の通信用電波遮蔽窓は、窓ガラスのアース用端子が、アース導線を介して大地にアース接地されている。
【００１２】
本発明の通信用電波遮蔽窓は、窓枠に付設したアース用端子が、アース導線を介して大地にアース接地されている。
【００１３】
本発明の通信用電波遮蔽窓は、密封体が、導電性ガスケット或いは導電性シーラントである。
【００１４】
本発明の通信用電波遮蔽窓は、窓ガラスに封入した導電性素材と窓枠とが、密封体に混入した導電性素材を介して電気的に接続され、窓ガラスの導電性素材と窓枠との導通が密封体の導電性素材により一様に保たれている。
【００１５】
【発明の実施の形態】
以下、本発明の実施の形態を図面に基づいて詳細に説明する。
図１は本発明の第１の実施の形態に係わる携帯電話の通信用電波遮蔽窓を備えた建造物の構造を示す説明図である。
本発明の携帯電話の通信用電波遮蔽窓１は、図１に示すように、建造物２の電波遮蔽部屋２０の室内２１の空間を囲む壁２２に設けた開口する窓孔２３に配置され、建造物２の電波遮蔽部屋２０の室内２１にある携帯電話機３と建造物２の電波遮蔽部屋２０の室外２４にある基地局４との間での通信用の電波を遮蔽するものである。
【００１６】
本発明の通信用電波遮蔽窓１は、図１に示すように、通信用の電波を遮蔽する鉛等の導電性素材５を母材の全域に均一に封入した透光性を有する窓ガラス６と、窓ガラス６の周囲に設けられた通信用の電波を遮蔽する導電性材料を用いた窓枠７とからなり、窓ガラス６の周縁が通信用の電波を遮蔽する導電性素材８を混入した密封体９を介して窓枠７に封着されている。
【００１７】
本発明の携帯電話の通信用電波遮蔽窓１は、図１に示すように、窓ガラス６が、導電性素材５に接続されたアース用端子１０を有している。
【００１８】
本発明の携帯電話の通信用電波遮蔽窓１は、図１に示すように、窓ガラス６のアース用端子１０が、アース導線１１を介して大地１２にアース接地されている。
【００１９】
本発明の携帯電話の通信用電波遮蔽窓１は、密封体９が、導電性ガスケット或いは導電性シーラントである。
【００２０】
本発明の携帯電話の通信用電波遮蔽窓１は、窓ガラス６に封入した導電性素材５と窓枠７とが、密封体９に混入した導電性素材８を介して電気的に接続され、窓ガラス６の導電性素材５と窓枠７との導通が密封体９の導電性素材８により一様に保たれている。
【００２１】
建造物２の内部には、図１に示すように、壁２２，天井２５，床２６によって区画された電波シールドルームとなる電波遮蔽部屋２０が形成され、建造物２の電波遮蔽部屋２０の室内２１の空間を囲む壁２２の内壁面２２ａ，天井２５の内壁面２５ａ，床２６の内壁面２６ａには通信のための電波を遮蔽する導電性素材２７を全域に均一に積層した電波遮蔽壁紙２８がそれぞれ貼り付けられている。
【００２２】
建造物２の電波遮蔽部屋２０は、図１に示すように、導電性素材２７を全域に均一に積層した電波遮蔽壁紙２８が、建造物２の室内２１の空間を囲む壁２２の内壁面２２ａ，天井２５の内壁面２５ａ，床２６の内壁面２６ａの全体を覆っている。
【００２３】
建造物２の電波遮蔽部屋２０は、図１に示すように、電波遮蔽壁紙２８が、導電性素材２７に接続されたアース用端子１０を有し、アース用端子１０がアース導線１１を介して大地１２にアース接地されている。
【００２４】
建造物２の電波遮蔽部屋２０は、図１に示すように、導電性素材２７を全域に均一に積層した電波遮蔽壁紙２８が、建造物２の室内２１の空間を囲む壁２２の内壁面２２ａ，天井２５の内壁面２５ａ，床２６の内壁面２６ａに別々に貼り付けられており、互いに隣接する導電性素材２７，２７の継ぎ目に相当する部分には隙間を覆って通信用の電波を遮蔽する導電性テープ（図示せず）が貼り付けられている。
【００２５】
建造物２は、図１に示すように、電波遮蔽部屋２０の室内２１の空間の四方を囲む垂直な複数の壁２２と、建造物２の電波遮蔽部屋２０の室内２１の空間の上部を囲む水平な天井２５と、建造物２の電波遮蔽部屋２０の室内２１の空間の底部を囲む天井２５に対向する水平な床２６とを有し、建造物２の１つの壁２２には開口する窓孔２３が設けられ、建造物２の壁２２に設けた窓孔２３には携帯電話通信用電波遮蔽窓１が配設されている。
【００２６】
電波遮蔽壁紙２８は、図１に示すように、通信用の電波を遮蔽する導電性素材２７を積層した基材をシート状に形成した壁紙本体２９を有しており、壁紙本体２９の全域には均一に導電性素材２７が配設されている。
【００２７】
導電性素材２７は、銅ネット，アルミニウムネット等の金属ネット、銅箔，アルミニウム箔等の極薄の金属箔、銅粉，アルミニウム粉等の微粒子の金属粉である。
【００２８】
電波遮蔽壁紙２８の壁紙本体２９は、和紙，洋紙，合成紙等の紙、織物，編物，不織布等の布、プラスチックシート，ビニルシート等の合成樹脂シート、或いはプラスチックフィルム，ビニルフィルム等の合成樹脂フィルムからなる。
【００２９】
電波遮蔽壁紙２８の壁紙本体２９の裏側には、図１に示すように、導電性素材２７が配置され、電波遮蔽壁紙２８の壁紙本体２９の裏側面には全域に導電性素材２７の内側面が接着剤により貼着されている。
【００３０】
電波遮蔽壁紙２８の壁紙本体２９の裏側面に貼着した導電性素材２７の外側面２７ａには粘着剤が塗布されている。
【００３１】
建造物２の電波遮蔽部屋２０の室内２１の空間の四方を囲む垂直な複数の壁２２の内壁面２２ａには電波遮蔽壁紙２８の導電性素材２７の外側面２７ａが粘着剤により貼り付けられ、図１に示すように、電波遮蔽壁紙２８の壁紙本体２９と導電性素材２７が建造物２の電波遮蔽部屋２０の室内２１に臨んでいる壁２２の内壁面２２ａに対して貼着されている。
【００３２】
また、建造物２の電波遮蔽部屋２０の室内２１の空間の上部を囲む水平な天井２５の下面である内壁面２５ａには電波遮蔽壁紙２８の導電性素材２７の外側面２７ａが粘着剤により貼り付けられ、図１に示すように、電波遮蔽壁紙２８の壁紙本体２９と導電性素材２７が建造物２の電波遮蔽部屋２０の室内２１に臨んでいる天井２５の内壁面２５ａに対して貼着されている。
【００３３】
さらに、建造物２の電波遮蔽部屋２０の室内２１の空間の底部を囲む水平な床２６の上面である内壁面２６ａには電波遮蔽壁紙２８の導電性素材２７の外側面２７ａが粘着剤により貼り付けられ、図１に示すように、電波遮蔽壁紙２８の壁紙本体２９と導電性素材２７が建造物２の電波遮蔽部屋２０の室内２１に臨んでいる床２６の内壁面２６ａに対して貼着されている。
【００３４】
そして、電波遮蔽壁紙２８を建造物２の電波遮蔽部屋２０の室内２１の空間を囲む壁２２の内壁面２２ａ，天井２５の内壁面２５ａ，床２６の内壁面２６ａにそれぞれ貼り付けることにより、図１に示すように、建造物２の内部に壁２２，天井２５，床２６によって区画された携帯電話機３と基地局４との間での通信用の電波を遮蔽する電波シールドルームとなる電波遮蔽部屋２０が形成される。
【００３５】
図２は本発明の第１の実施の形態に係わる携帯電話の通信用電波遮蔽窓の構成を示す正面図、図３は本発明の第１の実施の形態に係わる携帯電話の通信用電波遮蔽窓の線Ａ−Ａ切断矢視図、図４は本発明の第１の実施の形態に係わる携帯電話の通信用電波遮蔽窓の線Ｂ−Ｂ切断矢視図である。
携帯電話の通信用電波遮蔽窓１は、図２に示すように、透光性を有する窓ガラス６と、窓ガラス６を取付ける窓枠７とからなる。
【００３６】
携帯電話の通信用電波遮蔽窓１の窓ガラス６には、図３及び図４に示すように、母材の全域に均一に通信用の電波を遮蔽する鉛等の導電性素材５が封入され、窓ガラス６の一側縁と下縁とのコーナー部の内側面には、図２に示すように、導電性素材５に接続されたアース用端子１０が固設されている。
【００３７】
携帯電話の通信用電波遮蔽窓１の窓ガラス６は、透明または半透明のガラス板からなる。
【００３８】
なお、アース用端子１０は窓ガラス６の表面上に蒸着或いはプリントにより形成しても良い。
【００３９】
携帯電話の通信用電波遮蔽窓１の窓枠７は、図２に示すように、上部水平部材７０と、上部水平部材７０に平行な下部水平部材７１と、互いに平行な２本の側部垂直部材７２，７２とから構成されている。
【００４０】
通信用電波遮蔽窓１の窓枠７の互いに平行な２本の側部垂直部材７２，７２の上端部の間には、図２に示すように、上部水平部材７０が架設され、側部垂直部材７２，７２の下端部の間には上部水平部材７０と平行な下部水平部材７１が架設され、上部水平部材７０の両端が側部垂直部材７２，７２の上端部に対して止めねじ（図示せず）により固定され、下部水平部材７１の両端が側部垂直部材７２，７２の下端部に対して止めねじ（図示せず）により固定され、通信用電波遮蔽窓１の窓枠７が組み立てられている。
【００４１】
窓枠７の上部水平部材７０は、図３に示すように、中空本体７３を有し、上部水平部材７０の中空本体７３には窓ガラス６の上縁６０ａを挿入するガラス取付溝７３ａが形成され、上部水平部材７０の中空本体７３の内側壁には建造物２の電波遮蔽部屋２０の室内２１に向って張出したフランジ７３ｂが一体に形成されている。
【００４２】
窓枠７の下部水平部材７１は、図３に示すように、中空本体７４を有し、下部水平部材７１の中空本体７４には窓ガラス６の下縁６０ｂを挿入するガラス取付溝７４ａが形成され、下部水平部材７１の中空本体７４の内側壁には建造物２の電波遮蔽部屋２０の室内２１に向って張出したフランジ７４ｂが一体に形成されている。
【００４３】
窓枠７の互いに平行な２本の側部垂直部材７２，７２は、図４に示すように、中空本体７５，７５を有し、側部垂直部材７２，７２の中空本体７５，７５には窓ガラス６の側縁６０ｃ，６０ｃを挿入するガラス取付溝７５ａ，７５ａが形成され、側部垂直部材７２，７２の中空本体７５，７５の内側壁には建造物２の電波遮蔽部屋２０の室内２１に向って張出したフランジ７５ｂ，７５ｂが一体に形成されている。
【００４４】
窓枠７の上部水平部材７０の中空本体７３に形成したガラス取付溝７３ａには、図３に示すように、窓ガラス６の上縁６０ａが挿入され、窓ガラス６の上縁部が上部水平部材７０の中空本体７３のガラス取付溝７３ａに対して密封体９により固定され、窓ガラス６に封入した導電性素材５と窓枠７の上部水平部材７０とは密封体９に混入した導電性素材８を介して電気的に接続されている。
【００４５】
また、窓枠７の下部水平部材７１の中空本体７４に形成したガラス取付溝７４ａには、図３に示すように、窓ガラス６の下縁６０ｂが挿入され、窓ガラス６の下縁部が下部水平部材７１の中空本体７４のガラス取付溝７４ａに対して密封体９により固定され、窓ガラス６に封入した導電性素材５と窓枠７の下部水平部材７１とは密封体９に混入した導電性素材８を介して電気的に接続されている。
【００４６】
さらに、窓枠７の側部垂直部材７２，７２の中空本体７５，７５に形成したガラス取付溝７５ａ，７５ａには、図４に示すように、窓ガラス６の両側縁６０ｃ，６０ｃがそれぞれ挿入され、窓ガラス６の両側縁部が側部垂直部材７２，７２の中空本体７５，７５のガラス取付溝７５ａ，７５ａに対して密封体９，９により固定され、窓ガラス６に封入した導電性素材５と窓枠７の側部垂直部材７２，７２とは密封体９，９に混入した導電性素材８，８を介して電気的に接続されている。
【００４７】
そして、通信用電波遮蔽窓１の窓ガラス６の全周は、図３及び図４に示すように、窓枠７の上部水平部材７０，下部水平部材７１及び側部垂直部材７２，７２に通信用の電波を遮蔽する導電性素材８を混入した密封体９を介して封着されている。
【００４８】
通信用電波遮蔽窓１の窓枠７の上部水平部材７０，下部水平部材７１及び側部垂直部材７２，７２は、アルミニウム合金製の押出し成形または引抜き成形の形材からなる。
【００４９】
次に、本発明の第１の実施の形態に係わる携帯電話の通信用電波遮蔽窓の建造物の電波遮蔽部屋の室内の空間を囲む壁の窓孔に対する取付け方法について説明する。
携帯電話の通信用電波遮蔽窓１の建造物２の電波遮蔽部屋２０の室内２１の空間を囲む壁２２に設けた窓孔２３に対する取付けは、まず、通信用電波遮蔽窓１の窓枠７を建造物２の壁２２の窓孔２３に嵌め込んだ後、窓枠７の上部水平部材７０の中空本体７３に形成したフランジ７３ｂを建造物２の壁２２の窓孔２３に臨む上壁面に対して止めねじ（図示せず）により固定する。そして、窓枠７の下部水平部材７１の中空本体７４に形成したフランジ７４ｂを建造物２の壁２２の窓孔２３に臨む下壁面に対して止めねじ（図示せず）により固定し、窓枠７の側部垂直部材７２，７２の中空本体７５，７５に形成したフランジ７５ｂ，７５ｂを建造物２の壁２２の窓孔２３に臨む側壁面に対して止めねじ（図示せず）により固定する。図１に示すように、携帯電話の通信用電波遮蔽窓１の窓ガラス６及び窓枠７が建造物２の電波遮蔽部屋２０の室内２１の空間を囲む壁２２に設けた窓孔２３に対して取付けられる。
【００５０】
そして、通信用の電波が、建造物２の電波遮蔽部屋２０の室内２１の空間を囲む壁２２に設けられた窓孔２３と携帯電話通信用電波遮蔽窓１の窓枠７との間の隙間から建造物２の電波遮蔽部屋２０の室内２１へ侵入しないような電波シールド構造となっている。
【００５１】
次に、本発明の第１の実施の形態に係わる携帯電話の通信用電波遮蔽窓の作用について説明する。
携帯電話機３を所持した携帯電話機所持者３０は、建造物２の電波遮蔽部屋２０の室外２４に出ると、通常の携帯電話機３を使用した電波による通信を行うことが可能である。
【００５２】
また、携帯電話機３を所持した携帯電話機所持者３０が、図１に示すように、建造物２の電波遮蔽部屋２０の室内２１に入ると、電波遮蔽壁紙２８の壁紙本体２９に積層された導電性素材２７が建造物２の電波遮蔽部屋２０の室内２１の空間を囲む壁２２，天井２５，床２６から入射した通信用の電波を遮蔽する。
【００５３】
電波遮蔽壁紙２８が建造物２の電波遮蔽部屋２０の室内２１にある携帯電話機３と建造物２の電波遮蔽部屋２０の室外２４にある基地局４との間での通信用の電波を完全に遮蔽するので、建造物２の電波遮蔽部屋２０の室内２１から携帯電話機３を使用した電波による通信が行えない状態となる。
【００５４】
しかも、図１に示すように、電波遮蔽壁紙２８の導電性素材２７がアース用端子１０，アース導線１１を介して大地１２に接続されるので、電波遮蔽壁紙２８の導電性素材２７と大地１２とを同電位に保ち、建造物２の電波遮蔽部屋２０の室内２１の空間を囲む壁２２，天井２５，床２６から入射した電波は電波遮蔽壁紙２８の導電性素材２７からアース用端子１０，アース導線１１を通って大地１２へと流れ、電波が建造物２の電波遮蔽部屋２０の室内２１にある携帯電話機３に侵入するのをアース用端子１０，アース導線１１により確実に防止することができる。
【００５５】
さらに、携帯電話の通信用電波遮蔽窓１の窓ガラス６に封入された鉛等の導電性素材５が窓ガラス６自体から入射した通信用の電波を遮蔽し、携帯電話の通信用電波遮蔽窓１の導電性材料を用いた窓枠７が通信用の電波を遮蔽し、密封体９に混入された導電性素材８が密封体９自体から入射した通信用の電波を遮蔽する。
【００５６】
通信用電波遮蔽窓１が建造物２の電波遮蔽部屋２０の室内２１にある携帯電話機３と建造物２の電波遮蔽部屋２０の室外２４にある基地局４との間での通信用の電波を完全に遮蔽するので、建造物２の電波遮蔽部屋２０の室内２１は電波が侵入しない状態となる。
【００５７】
携帯電話機所持者３０が携帯電話機３を電源を切らない状態で建造物２の電波遮蔽部屋２０の室内２１に持ち込んだ場合でも、建造物２の電波遮蔽部屋２０の室内２１では携帯電話機３の着信音が鳴らないので、あらかじめ携帯電話機３の電源を切ったり、或いは携帯電話機３をマナーモードに設定したりする必要もなく、しかも、各種医療用電気機器や各種電子機器に携帯電話機３から発生する電磁波による悪影響を及ぼすおそれがなく、携帯電話機３の周辺にいる人に迷惑をかけることもない。
【００５８】
また、携帯電話機３の使用が規制若しくは禁止されている建造物２の電波遮蔽部屋２０の室内２１において、図１に示すように、携帯電話の通信用電波遮蔽窓１の窓ガラス６に封入した鉛等の導電性素材５がアース用端子１０，アース導線１１を介して大地１２に接続されるので、窓ガラス６の導電性素材５，窓枠７及び密封体９の導電性素材８と大地１２とを同電位に保ち、通信用電波遮蔽窓１の窓ガラス６及び密封体９から入射した電波は窓ガラス６の導電性素材５からアース用端子１０，アース導線１１を通って大地１２へと流れ、通信用の電波が建造物２の電波遮蔽部屋２０の室内２１にある携帯電話機３に侵入するのをアース用端子１０，アース導線１１により確実に防止することができる。
【００５９】
図５は本発明の第２の実施の形態に係わる携帯電話の通信用電波遮蔽窓を備えた建造物の構造を示す説明図である。
本発明の通信用電波遮蔽窓１は、図５に示すように、通信用の電波を遮蔽する鉛等の導電性素材５を母材の全域に均一に封入した透光性を有する窓ガラス６と、窓ガラス６の周囲に設けられた通信用の電波を遮蔽する導電性材料を用いた窓枠７とからなり、窓ガラス６の周縁が通信用の電波を遮蔽する導電性素材８を混入した密封体９を介して窓枠７に封着されている。
【００６０】
本発明の携帯電話の通信用電波遮蔽窓１は、図５に示すように、導電性材料を用いた窓枠７に、アース用端子１０が付設されている。
【００６１】
本発明の携帯電話の通信用電波遮蔽窓１は、図５に示すように、窓枠７に付設したアース用端子１０が、アース導線１１を介して大地１２にアース接地されている。
【００６２】
図６は本発明の第２の実施の形態に係わる携帯電話の通信用電波遮蔽窓の構成を示す正面図である。
通信用電波遮蔽窓１は、透光性を有する窓ガラス６と、窓ガラス６を取付ける窓枠７とからなり、窓ガラス６には母材の全域に均一に通信用の電波を遮蔽する鉛等の導電性素材５が封入されている。
【００６３】
携帯電話の通信用電波遮蔽窓１の窓枠７は、図６に示すように、上部水平部材７０と、上部水平部材７０に平行な下部水平部材７１と、互いに平行な２本の側部垂直部材７２，７２とから構成され、窓枠７の片側に配置した側部垂直部材７２の下端部の内側にはアース用端子１０が付設されている。
【００６４】
本発明の第２の実施の形態に係わる携帯電話の通信用電波遮蔽窓の他の構成は、図２に示す第１の実施の形態と同様のため、同一部位に同一符号を付して説明を省略する。
【００６５】
次に、本発明の第２の実施の形態に係わる携帯電話の通信用電波遮蔽窓の作用について説明する。
携帯電話機３を所持した携帯電話機所持者３０が、図５に示すように、建造物２の電波遮蔽部屋２０の室内２１に入ると、携帯電話の通信用電波遮蔽窓１の窓ガラス６に封入された鉛等の導電性素材５が窓ガラス６自体から入射した通信用の電波を遮蔽し、通信用電波遮蔽窓１の導電性材料を用いた窓枠７が通信用の電波を遮蔽し、密封体９に混入された導電性素材８が密封体９自体から入射した通信用の電波を遮蔽する。
【００６６】
携帯電話の通信用電波遮蔽窓１が建造物２の電波遮蔽部屋２０の室内２１にある携帯電話機３と建造物２の電波遮蔽部屋２０の室外２４にある基地局４との間での通信用の電波を完全に遮蔽するので、携帯電話機所持者３０が携帯電話機３を電源を切らない状態で建造物２の電波遮蔽部屋２０の室内２１に持ち込んだ場合でも、建造物２の電波遮蔽部屋２０の室内２１では携帯電話機３の着信音が鳴らないので、あらかじめ携帯電話機３の電源を切ったり、或いは携帯電話機３をマナーモードに設定したりする必要がない。しかも、電磁波が遮蔽されるので、各種医療用電気機器や各種電子機器は悪影響を受けることが無い。
【００６７】
また、携帯電話機３の使用が規制若しくは禁止されている建造物２の電波遮蔽部屋２０の室内２１において、図５に示すように、携帯電話の通信用電波遮蔽窓１の窓枠７がアース用端子１０，アース導線１１を介して大地１２に接続されるので、窓ガラス６の導電性素材５，窓枠７及び密封体９の導電性素材８と大地１２とを同電位に保ち、通信用電波遮蔽窓１の窓ガラス６及び密封体９から入射した電波は窓枠７からアース用端子１０，アース導線１１を通って大地１２へと流れ、通信用の電波が建造物２の電波遮蔽部屋２０の室内２１にある携帯電話機３に侵入するのをアース用端子１０，アース導線１１により確実に防止することができる。
【００６８】
図７は本発明の第３の実施の形態に係わる携帯電話の通信用電波遮蔽窓を備えた建造物の構造を示す説明図である。
本発明の携帯電話の通信用電波遮蔽窓１は、通信用の電波を遮蔽する銅ネット，アルミニウムネット等の導電性素材５０を母材の全域に均一に封入した透光性を有する窓ガラス６と、窓ガラス６の周囲に設けた通信用の電波を遮蔽する導電性材料を用いた窓枠７とからなり、窓ガラス６の周縁が通信用の電波を遮蔽する導電性素材８を混入した密封体９を介して窓枠７に封着されている。
【００６９】
本発明の携帯電話の通信用電波遮蔽窓１は、窓ガラス６が、導電性素材５０に接続されたアース用端子１０を有している。
【００７０】
本発明の携帯電話の通信用電波遮蔽窓１は、窓ガラス６のアース用端子１０が、アース導線１１を介して大地１２にアース接地されている。
【００７１】
本発明の携帯電話の通信用電波遮蔽窓１は、窓ガラス６に封入した導電性素材５０と窓枠７とが、密封体９に混入した導電性素材８を介して電気的に接続され、窓ガラス６の導電性素材５０と窓枠７との導通が密封体９の導電性素材８により一様に保たれている。
【００７２】
図８は本発明の第３の実施の形態に係わる携帯電話の通信用電波遮蔽窓の構成を示す正面図である。
携帯電話の通信用電波遮蔽窓１は、透光性を有する窓ガラス６と、窓ガラス６を取付ける窓枠７とからなり、窓ガラス６には母材の全域に均一に通信用の電波を遮蔽する銅ネット，アルミニウムネット等の金属ネットからなる導電性素材５０が封入され、窓ガラス６の一側縁と下縁とのコーナー部の内側面には導電性素材５０に接続されたアース用端子１０が固設されている。
【００７３】
次に、本発明の第３の実施の形態に係わる携帯電話の通信用電波遮蔽窓の作用について説明する。
携帯電話機３を所持した携帯電話機所持者３０が、図７に示すように、建造物２の電波遮蔽部屋２０の室内２１に入ると、携帯電話の通信用電波遮蔽窓１の窓ガラス６に封入された銅ネット，アルミニウムネット等の金属ネットからなる導電性素材５０が窓ガラス６自体から入射した通信用の電波を遮蔽し、通信用電波遮蔽窓１の導電性材料を用いた窓枠７が通信用の電波を遮蔽し、密封体９に混入された導電性素材８が密封体９自体から入射した通信用の電波を遮蔽する。
【００７４】
携帯電話の通信用電波遮蔽窓１が建造物２の電波遮蔽部屋２０の室内２１にある携帯電話機３と建造物２の電波遮蔽部屋２０の室外２４にある基地局４との間での通信用の電波を完全に遮蔽するので、建造物２の電波遮蔽部屋２０の室内２１から携帯電話機３を使用した電波による通信が行えない状態となり、携帯電話機所持者３０が携帯電話機３を電源を切らない状態で建造物２の電波遮蔽部屋２０の室内２１に持ち込んだ場合でも、建造物２の電波遮蔽部屋２０の室内２１では携帯電話機３の着信音が鳴らないので、あらかじめ携帯電話機３の電源を切ったり、或いは携帯電話機３をマナーモードに設定したりする必要もなく、携帯電話機３の周辺にいる人に迷惑をかけることもない。
しかも、完全に侵入する電磁波が遮蔽されるので、各種医療用電気機器や各種電子機器が電磁波による悪影響を及ぼされるおそれがない。
【００７５】
また、携帯電話機３の使用が規制若しくは禁止されている建造物２の電波遮蔽部屋２０の室内２１において、図７に示すように、携帯電話通信用電波遮蔽窓１の窓ガラス６に封入した銅ネット，アルミニウムネット等の金属ネットからなる導電性素材５０がアース用端子１０，アース導線１１を介して大地１２に接続されるので、窓ガラス６の導電性素材５０，窓枠７及び密封体９の導電性素材８と大地１２とを同電位に保ち、携帯電話の通信用電波遮蔽窓１の窓ガラス６及び密封体９から入射した電波は窓ガラス６の導電性素材５０からアース用端子１０，アース導線１１を通って大地１２へと流れ、通信用の電波が建造物２の電波遮蔽部屋２０の室内２１にある携帯電話機３に侵入するのをアース用端子１０，アース導線１１により確実に防止することができる。
【００７６】
【発明の効果】
以上に述べたように、本発明の携帯電話通信用電波遮蔽窓によれば、携帯電話機の使用が規制若しくは禁止されている建造物の電波遮蔽部屋の室内において、窓枠を建造物の電波遮蔽部屋の室内の空間を囲む壁の開口する窓孔に設置するのみで、窓ガラスに封入した導電性素材が窓ガラスから入射した通信用の電波を遮蔽すると共に、導電性材料を用いた窓枠が通信用の電波を遮蔽するので、通信用の電波が建造物の電波遮蔽部屋の室内に侵入するのを窓ガラスの導電性素材及び窓枠により確実に防止することがでる。また、密封体が窓ガラスの全周と窓枠との間の隙間を密封し、密封体に混入した導電性素材が通信用の電波を遮蔽するので、通信用の電波が窓ガラスの全周と窓枠との間の隙間から建造物の電波遮蔽部屋の室内に侵入する電波をより確実に防止することができ、携帯電話機所持者が携帯電話機を電源を切らない状態で建造物の電波遮蔽部屋の室内に持ち込んだ場合でも、従来のようにあらかじめ携帯電話機の電源を切ったり、或いは携帯電話機をマナーモードに設定したりする手間を省くことがでる。
【００７７】
本発明の通信用電波遮蔽窓によれば、窓ガラスが導電性素材に接続されたアース用端子を有しているので、窓ガラスのアース用端子を大地にアース接地させ、窓ガラスに封入した導電性素材と大地とを導通状態とすることができる。
【００７８】
本発明の通信用電波遮蔽窓によれば、導電性材料を用いた窓枠にアース用端子が付設されているので、窓枠に付設されたアース用端子を大地にアース接地させ、窓枠と大地とを導通状態とすることができる。
【００７９】
本発明の通信用電波遮蔽窓によれば、窓ガラスのアース用端子がアース導線を介して大地にアース接地されているので、窓ガラスに封入した導電性素材と大地とを同電位に保つことができ、窓ガラスから入射した通信用の電波が導電性素材からアース用端子，アース導線を通って大地へと流れるので、通信用の電波が建造物の電波遮蔽部屋の室内にある携帯電話機に侵入するのを窓ガラスのアース用端子，アース導線により確実に防止することができる。
【００８０】
本発明の通信用電波遮蔽窓によれば、窓枠に付設したアース用端子がアース導線を介して大地にアース接地されているので、導電性材料を用いた窓枠と大地とを同電位に保つことができ、窓ガラスから入射した通信用の電波が導電性素材から窓枠，アース用端子，アース導線を通って大地へと流れるので、通信用の電波が建造物の電波遮蔽部屋の室内にある携帯電話機に侵入するのを窓枠のアース用端子，アース導線により確実に防止することができる。
【００８１】
本発明の通信用電波遮蔽窓によれば、密封体が導電性ガスケット或いは導電性シーラントであるので、窓ガラスと窓枠との間の隙間からの通信用の電波の侵入を密封体により完全に遮蔽することができる。
【００８２】
本発明の通信用電波遮蔽窓によれば、窓ガラスに封入した導電性素材と窓枠とが密封体に混入した導電性素材を介して電気的に接続され、窓ガラスの導電性素材と窓枠との導通が密封体の導電性素材により一様に保たれているので、密封体から入射した通信用の電波を導電性素材を通って窓ガラスの導電性素材または窓枠へと流すことができる。
【図面の簡単な説明】
【図１】本発明の第１の実施の形態に係わる携帯電話通信用電波遮蔽窓を備えた建造物の構造を示す説明図。
【図２】本発明の第１の実施の形態に係わる携帯電話通信用電波遮蔽窓の構成を示す正面図。
【図３】本発明の第１の実施の形態に係わる携帯電話通信用電波遮蔽窓の線Ａ−Ａ切断矢視図。
【図４】本発明の第１の実施の形態に係わる携帯電話通信用電波遮蔽窓の線Ｂ−Ｂ切断矢視図。
【図５】本発明の第２の実施の形態に係わる携帯電話通信用電波遮蔽窓を備えた建造物の構造を示す説明図。
【図６】本発明の第２の実施の形態に係わる携帯電話通信用電波遮蔽窓の構成を示す正面図。
【図７】本発明の第３の実施の形態に係わる携帯電話通信用電波遮蔽窓を備えた建造物の構造を示す説明図。
【図８】本発明の第３の実施の形態に係わる携帯電話通信用電波遮蔽窓の構成を示す正面図。
【符号の説明】
１　携帯電話通信用電波遮蔽窓
２　建造物
３　携帯電話機
４　基地局
５　導電性素材
６　窓ガラス
７　窓枠
８　導電性素材
９　密封体
１０　アース用端子
１１　アース導線
１２　大地
２０　電波遮蔽部屋（電波シールドルーム）
２１　室内
２２　壁
２２ａ　内壁面
２３　窓孔
２４　室外
２５　天井
２５ａ　内壁面
２６　床
２６ａ　内壁面
２７　導電性素材
２７ａ　外側面
２８　電波遮蔽壁紙
２９　壁紙本体
３０　携帯電話機所持者
５０　導電性素材
６０ａ　上縁
６０ｂ　下縁
６０ｃ　側縁
７０　上部水平部材
７１　下部水平部材
７２　側部垂直部材
７３　中空本体
７３ａ　ガラス取付溝
７３ｂ　フランジ
７４　中空本体
７４ａ　ガラス取付溝
７４ｂ　フランジ
７５　中空本体
７５ａ　ガラス取付溝
７５ｂ　フランジ
【図１】
2004011369.tif 000003
【図２】
2004011369.tif 000004
【図３】
2004011369.tif 000005
【図４】
2004011369.tif 000006
【図５】
2004011369.tif 000007
【図６】
2004011369.tif 000008
【図７】
2004011369.tif 000009
【図８】
2004011369.tif 000010